(57)【要約】      （修正有）【課題】冷水管内の冷水を回収して給湯器で加熱することが出来て、節水を達成できる冷水再加熱装置を提供する。【解決手段】冷水再加熱装置３は、給水システム１に取り付けられ、給水システムは出水端１０と接続する出水管１２を含み、出水管が第１冷水管１４及び第２冷水管１６と連通し、第２冷水管がさらに給湯器２４に連通し、第２冷水管中の冷水を給湯器により加熱して熱湯管２６から流出する。冷水再加熱装置は、さらに熱湯管及び第１冷水管と連通する還流装置３０を含み、還流装置により、熱湯管中の冷水を第１冷水管中に吸引して第２冷水管に戻す。それによって、冷水を給湯器に流入して再加熱できる。【選択図】図１
0003220725.tif 000002
【実用新案登録請求の範囲】
【請求項１】
給水システムに取り付ける冷水再加熱装置であって、
前記給水システムが出水管と連通する出水端を有し、
前記出水管が第１冷水管及び第２冷水管と連通し、
前記第２冷水管が給湯器の入水口に連通し、
前記第２冷水管中の冷水が前記給湯器により加熱されて前記給湯器の出水口から流出し、
前記出水口が熱湯管と連通し、
前記冷水再加熱装置は、還流装置を含み、
前記還流装置が第１連通管と第２連通管と連通し、
前記第１連通管が前記熱湯管に連通し、
前記第２連通管が前記第１冷水管に連通し、
前記熱湯管中の冷水が前記還流装置により前記第１冷水管に吸引されて前記第２冷水管に戻り、前記給湯器に流入した前記冷水が加熱されて前記熱湯管から流出することを特徴とする、
冷水再加熱装置。
【請求項２】
有線又は無線の方法により前記還流装置に電気接続することで、前記還流装置の起動時間を制御するコントローラをさらに含むことを特徴とする、請求項１に記載の冷水再加熱装置。
【請求項３】
前記コントローラにおいて、前記コントローラに電気接続され、前記コントローラにより制御される発光素子が設置されており、
前記コントローラは、前記還流装置を停止する際に前記発光素子を停止することを特徴とする、
請求項２に記載の冷水再加熱装置。
【請求項４】
前記コントローラは温度センサに電気接続され、
前記温度センサは、前記第１連通管に設けられ、前記第１連通管の水温を測定して温度情報を生成し、前記温度情報を前記コントローラに伝送し、
前記コントローラは、前記温度情報が特定温度値を超えると判断した場合、前記還流装置を停止することを特徴とする、
請求項２に記載の冷水再加熱装置。
【請求項５】
前記還流装置が還流モーターであることを特徴とする、請求項１に記載の冷水再加熱装置。
【請求項６】
前記還流装置を覆うケーシングをさらに含むことを特徴とする、請求項１に記載の冷水再加熱装置。
【請求項７】
前記第１連通管及び前記第２連通管がプラスチック管体又は金属管体であることを特徴とする、請求項１に記載の冷水再加熱装置。
【請求項８】
前記給湯器がガス給湯器、太陽エネルギー給湯器又は電気給湯器であることを特徴とする、請求項１に記載の冷水再加熱装置。
【請求項９】
前記出水管、前記第１冷水管、及び前記第２冷水管はＴ字管により連通することを特徴とする、請求項１に記載の冷水再加熱装置。
【請求項１０】
前記出水管と前記Ｔ字管の間に逆止弁を設置することを特徴とする、請求項９に記載の冷水再加熱装置。
【請求項１１】
前記出水管、前記第１冷水管、前記第２冷水管及び前記熱湯管はプラスチック管体又は金属管体であることを特徴とする、請求項１に記載の冷水再加熱装置。
【考案の詳細な説明】
【技術分野】
【０００１】
本考案は、熱湯供給システム、特に熱湯管中の冷水を加熱できる冷水再加熱装置に関する。
【背景技術】
【０００２】
給湯器は、冷水を加熱して熱湯を提供する装置である。従来の給湯器の大半は、ガスのエネルギー効率が高いので、例えば天然ガス、石炭ガス等のガスのエネルギーを使用して冷水を加熱する。しかしながら、科学技術の進歩につれて、現在、電気エネルギー又は太陽エネルギー等のエネルギーを使用し、冷水を加熱して熱湯を提供する給湯器が発達している。
【考案の概要】
【考案が解決しようとする課題】
【０００３】
しかしながら、従来の給湯器は、冷水を加熱できるが、水道水から給湯器に流入した冷水を加熱することしか出来ず、給湯器から流出した水をもう一度加熱することが出来ない。よって、熱湯を持続的に使わず、給湯器から蛇口までの熱湯が冷却されると、その冷水をもう一度加熱することが出来ない。よって、ある時間が経過してから熱湯を使用したい場合、給湯器で加熱した熱湯は、給湯器から蛇口までの冷水が流れてから流出することになる。
【０００４】
よって、熱湯の流出を待つ場合、給湯器から蛇口までの冷水が浪費となる。また、冬季に冷水に触ると使用者は冷たく感じるため、水の使用感に影響し、その結果、水で清掃する等を避ける好ましくない衛生習慣となり易い。
【０００５】
それに鑑みて、本考案は、上記従来技術の欠点に対して、熱湯管中の冷水を回収して加熱する冷水再加熱装置を提供する。本考案の冷水再加熱装置によって、上記問題を有効に解決できる。
【０００６】
本考案の主要な目的は、熱湯管中で冷却した水を回収して給湯器により加熱し、出湯口を開ける際に熱湯が直ぐに流れ、冷水の流出を待つことによる水資源の浪費を避ける、冷水再加熱装置を提供することにある。
【０００７】
本考案のもう一つの目的としては、構造及び取り付け方法が簡単で操作し易く、取り付け時の作業効率を有効に向上し、どのような給水システムにも幅広く使用できる、冷水再加熱装置を提供することにある。
【課題を解決するための手段】
【０００８】
上記目的を達成するために、本考案が提供する冷水再加熱装置は、給水システムに取り付ける冷水再加熱装置であって、前記給水システムが出水管と連通する出水端を含み、前記出水管がさらに第１冷水管及び第２冷水管に連通し、第２冷水管が給湯器の入水口に連通し、第２冷水管から流入した冷水を給湯器により加熱して、給湯器と連通する出水口の熱湯管から流出するものである。そのうち、冷水再加熱装置は、第１連通管及び第２連通管と連通する還流装置を含み、第１連通管が熱湯管と連通し、第２連通管は第１冷水管と連通する。熱湯管中の冷水は、還流装置により第１冷水管に吸引されて第２冷水管に戻り、さらに給湯器に流入し、給湯器により加熱されてから熱湯管から流出する。
【０００９】
そのうち、還流装置をケーシングで覆うことができる。また、還流装置は、還流装置の起動を有線又は無線の方法で制御するコントローラに電気接続される。なお、コントローラは、さらに発光素子に電気接続され、還流装置を停止すると同時に発光素子を停止するように制御する。
【００１０】
本考案の構造的な特徴、及び達成できる効果を理解するために、以下、好ましい実施例の図、及び詳細な説明を開示する。
【図面の簡単な説明】
【００１１】
【図１】本考案を給水システムに取り付けた概略図である。
【図２】本考案を給水システムに取り付けた立体概略図である。
【図３】本考案の回路ブロック図である。
【図４】本考案を給水システムに取り付けた動作概略図である。
【考案を実施するための形態】
【００１２】
本考案の冷水再加熱装置は、給水システムに取り付けるものであり、給水システムの熱湯管中の冷水を給湯器に回収して加熱し、熱湯を待つことによる熱湯管中の冷水の浪費を避けるものである。
【００１３】
図１を参照して、給水システム１と冷水再加熱装置３の組み合わせを説明する。図１に示すように、給水システム１は出水端１０を含む。前記出水端は、給水塔等の貯水装置又は他の給水装置である。出水端１０はプラスチック管体又は金属管体である出水管１２と連通する。出水管１２は、さらに同じくプラスチック管体又は金属管体である第１冷水管１４及び第２冷水管１６と連通する。そのうち、出水管１２、第１冷水管１４及び第２冷水管１６は、Ｔ字管１８により連通させる。また、出水管１２とＴ字管１８の間に、第１冷水管１４及び第２冷水管１６中の水を出水管１２に逆流させない逆止弁２０が設置されている。
【００１４】
第１冷水管１４は蛇口２２の冷水口と連通する。蛇口２２の冷水口を開けた場合、第１冷水管１４中の冷水が蛇口２２から流出する。第２冷水管１６は給湯器２４の入水口２４２と連通する。給湯器２４は、ガス給湯器、太陽エネルギー給湯器又は電気給湯器等の給湯器２４である。第２冷水管１６中の冷水が給湯器２４に流入して加熱された後、加熱された水が給湯器２４の出水口２４４と連通する熱湯管２６から流出する。本実施例の熱湯管２６は蛇口２２とも連通する。蛇口の出湯口を開けた場合、熱湯管２６中の熱湯が蛇口２２から流出する。
【００１５】
また、図１及び図２を参照しながら冷水再加熱装置３を給水システムに取り付けることを詳しく説明する。本実施例において、給水システム１の第１冷水管１４及び熱湯管２６の出水口は壁外部まで伸びて、壁外部の蛇口２２と連通する。また、冷水再加熱装置３は、壁外部の第１冷水管１４及び熱湯管２６に設置される。冷水再加熱装置３は還流装置３０を含む。前記還流装置３０は還流モーターであってもよい。還流装置３０は、さらにプラスチック管体又は金属管体である第１連通管３０２及び第２連通管３０４と連通する。第１連通管３０２が熱湯管２６と連通し、且つ第２連通管３０４が第１冷水管１４と連通することで、熱湯管２６中の冷水は、還流装置３０により第２連通管３０４を通って第１冷水管１４に吸引され、第２冷水管１６に戻り、給湯器２４中に流入して、給湯器２４により加熱した後、熱湯管２６と連通する蛇口２２から流出する。
【００１６】
図１、図２、及び図３を参照しながら説明する。図面に示すように、還流装置３０は、壁外部まで伸びた第１冷水管１４及び熱湯管２６に取り付けられる。さらに、還流装置３０の外部は、ケーシング３２によって覆われている。よって、還流装置３０は、蛇口から流出した水によって濡れることが避けられる。また、ケーシング３２内には、還流装置３０に電気接続することで、還流装置３０の作動を制御するコントローラ３４が設置される。もちろん、無線方法により還流装置３０に電気接続することで、コントローラ３４を遠隔制御できる。本実施例において、コントローラ３４を有線方法により還流装置３０に電気接続し、還流装置３０と共にケーシング３２内に取り付けた例が挙げられるが、電気接続方法はそれらに限定されない。コントローラ３４は、さらに制御パネル３６に電気接続される。前記制御パネル３６は、防水タッチパネルであってもよく、ケーシング３２の外部に露出し、入力した操作信号をコントローラ３４に伝送できる。よって、コントローラ３４は、操作信号に基づいて還流装置３０を起動できる。コントローラ３４は、さらに発光素子３８に電気接続される。前記発光素子３８は、ケーシング３２の外部に露出し、コントローラ３４により制御される。コントローラ３４により還流装置３０を起動した場合、発光素子３８も共に起動して発光する。よって、還流装置３０の作動開始を使用者に伝える。温度センサ３９はコントローラ３４に電気接続される。前記温度センサ３９は、第１連通管３０２内に設けられ、第１連通管３０２の水温を測定して温度情報を生成し、その温度情報をコントローラ３４に伝送する。コントローラ３４は、前記温度情報が特定温度値を超えた場合、例えば、温度情報が４０度を超えた場合と判断した場合、還流装置３０を停止する。還流装置３０を停止した場合、コントローラ３４は、発光素子３８を共に停止してその発光を停止する。よって、還流装置３０の作動完了、及び熱湯管２６内に熱い熱湯が充満することを使用者に伝える。
【００１７】
以上、本考案の構造及び装設方法を説明した。続いて、図２、図３及び図４を参照しながら本考案の冷水再加熱装置３の使用状態を詳しく説明する。まず、図２及び図３を参照しながら説明する。使用者は、ケーシング３２の外部に露出した制御パネル３６を操作することによって、還流装置を起動する。よって、制御パネル３６において、操作信号が生成されてコントローラ３４に伝送する。コントローラ３４は、操作信号に基づいて還流装置３０を起動すると同時に、発光素子３８を発光するように制御する。続いて、図４を参照しながら説明する。熱湯管２６におけるある程度時間を置いて冷たくなった水を、還流装置３０により第１冷水管１４に吸引する。出水管１２の出口に逆止弁２０が設置されているため、還流装置３０により第１冷水管１４に吸引した冷水が出水管１２に還流することがなく、第２冷水管１６のみに還流する。その際、第２冷水管１６に水が流入したと同時に、給湯器２４を起動して第２冷水管１６中の冷水を加熱する。最後に、コントローラ３４は、温度センサ３９から伝送した温度情報が特定温度値を超え、即ち、冷水の加熱完了と判断した場合、還流装置３０の作動を停止すると同時に、発光素子３８の発光を停止する。上記操作のように、蛇口２２を開けると熱湯が直ぐに流出する。よって、熱湯管２６の前端における冷水を流す必要がなく、熱湯管２６の前端における冷水の浪費にならず、節水という目的を有効に達成できる。
【００１８】
結論として、本考案は、熱湯管における冷水を回収して給湯器により加熱することで、熱湯口を開けると熱湯が直ぐに流出し、冷水の流出による水資源の浪費を避ける。また、本考案の構造及び取り付け方法は、簡単で操作し易いため、取り付け時の作業効率を有効に向上し、給水装置に幅広く使用できる。
【００１９】
上記は本考案の好ましい実施例のみであり、本考案の実施範囲を限定するものではない。よって、本考案の請求の範囲に記載の特徴及び精神に基づく均等な置換及び修飾は、当然、本考案の請求の範囲に含まれるものとする。
【符号の説明】
【００２０】
１     給水システム
１０   出水端
１２   出水管
１４   第１冷水管
１６   第２冷水管
１８   Ｔ字管
２０   逆止弁
２２   蛇口
２４   給湯器
２４２ 入水口
２４４ 出水口
２６   熱湯管
３     冷水再加熱装置
３０   還流装置
３０２ 第１連通管
３０４ 第２連通管
３２   ケーシング
３４   コントローラ
３６   制御パネル
３８   発光素子
３９   温度センサ
【図１】
0003220725.tif 000003
【図２】
0003220725.tif 000004
【図３】
0003220725.tif 000005
【図４】
0003220725.tif 000006